(57)【要約】【課題】  撮影データをモニタ上で確認しながらＸ線撮影条件の設定をキー入力により変更可能なＸ線撮影装置において、設定ミスの発生を回避する。【解決手段】  Ｘ線撮影条件に基づいて被写体をＸ線撮影するＸ線撮影装置であって、前記Ｘ線撮影条件の設定変更の指示を、キー入力により受け付けるキー入力部１１１と、キー入力部１１１により複数回のキー入力を受け付けた場合の、キー入力の間隔を検出するキー入力間隔検出部１１２と、前記Ｘ線撮影を連続して行う場合の撮影間隔であって、前記Ｘ線撮影条件として設定された撮影間隔が、前記キー入力の間隔よりも長い場合に、該Ｘ線撮影条件として設定された撮影間隔が、該キー入力の間隔以下となるように制御する制御部１０５とを備える。【選択図】  図１
2010104597.tif 000002
【特許請求の範囲】
【請求項１】
Ｘ線撮影条件に基づいて被写体をＸ線撮影するＸ線撮影装置であって、
前記Ｘ線撮影条件の設定変更の指示を、キー入力により受け付けるキー入力手段と、
前記キー入力手段により複数回のキー入力を受け付けた場合の、キー入力の間隔を検出する検出手段と、
前記Ｘ線撮影を連続して行う場合の撮影間隔であって、前記Ｘ線撮影条件として設定された撮影間隔が、前記キー入力の間隔よりも長い場合に、該Ｘ線撮影条件として設定された撮影間隔が、該キー入力の間隔以下となるように制御する制御手段と
を備えることを特徴とするＸ線撮影装置。
【請求項２】
前記制御手段は、前記撮影間隔が前記キー入力の間隔以下となるように、該撮影間隔を変更することを特徴とする請求項１に記載のＸ線撮影装置。
【請求項３】
前記キー入力手段は、連続時間、キーが押下され続けた場合に、予め設定された間隔で複数回のキー入力を受け付けたと認識することを特徴とする請求項１に記載のＸ線撮影装置。
【請求項４】
前記制御手段は、前記撮影間隔が前記キー入力の間隔以下となるように、前記設定された間隔を変更することを特徴とする請求項３に記載のＸ線撮影装置。
【請求項５】
前記Ｘ線撮影する被写体の部位を認識する認識手段を更に備え、
前記制御手段は、前記撮影間隔が前記キー入力の間隔以下となるように、該撮影間隔を変更するモードと、前記撮影間隔が前記キー入力の間隔以下となるように、前記設定された間隔を変更するモードとを、前記認識手段により認識された部位に応じて切り替えることを特徴とする請求項３に記載のＸ線撮影装置。
【請求項６】
Ｘ線撮影条件に基づいて被写体をＸ線撮影するＸ線撮影装置であって、
前記Ｘ線撮影条件の設定変更の指示を、キー入力により受け付けるキー入力手段と、
前記Ｘ線撮影条件として設定された前記Ｘ線撮影を連続して行う場合の撮影間隔に基づいて、Ｘ線撮影を行う制御する制御手段と、を備え、
前記制御手段は、
前記キー入力手段によりキー入力を受け付けた場合には、前記撮影間隔に基づいてＸ線撮影を行うよう制御することに加え、該キー入力を受け付けたタイミングで、Ｘ線撮影を行うよう制御することを特徴とするＸ線撮影装置。
【請求項７】
Ｘ線撮影条件に基づいて被写体をＸ線撮影するＸ線撮影装置であって、
前記Ｘ線撮影条件の設定変更の指示を、キー入力により受け付けるキー入力手段と、
前記Ｘ線撮影条件として設定された前記Ｘ線撮影を連続して行う場合の撮影間隔に基づいて、Ｘ線撮影を行うよう制御する制御手段と、を備え、
前記制御手段は、
前記キー入力手段によりキー入力を受け付けた場合には、該キー入力を受け付けたタイミングでＸ線撮影を行うよう制御し、キー入力を受け付けなかった場合には、前記撮影間隔に基づいて、Ｘ線撮影を行うよう制御することを特徴とするＸ線撮影装置。
【請求項８】
Ｘ線撮影条件に基づいて被写体をＸ線撮影するＸ線撮影装置の制御方法であって、
前記Ｘ線撮影条件の設定変更の指示を、キー入力により受け付けるキー入力工程と、
前記キー入力工程において複数回のキー入力を受け付けた場合の、キー入力の間隔を検出する検出工程と、
前記Ｘ線撮影を連続して行う場合の撮影間隔であって、前記Ｘ線撮影条件として設定された撮影間隔が、前記キー入力の間隔よりも長い場合に、該Ｘ線撮影条件として設定された撮影間隔が、該キー入力の間隔以下となるように制御する制御工程と
を備えることを特徴とするＸ線撮影装置の制御方法。
【請求項９】
請求項８に記載の制御方法をコンピュータによって実行させるためのプログラムを格納したコンピュータ読取可能な記憶媒体。
【発明の詳細な説明】
【技術分野】
【０００１】
本発明は、Ｘ線撮影装置及び制御方法に関するものである。
【背景技術】
【０００２】
近年、医療用のＸ線撮影装置の分野では、従来のアナログの撮影方式に代わり、デジタル画像方式のものが主流となってきている。
【０００３】
当該方式によれば、例えば、連続的に撮影されたデジタル画像を、動画像としモニタに表示することが可能である。このため、ユーザは、撮影時にモニタ上に表示された動画像を確認しながら操作パネルを操作し、Ｘ線撮影条件の設定を動的に変更することが可能である。
【０００４】
ここで、Ｘ線撮影装置の場合、Ｘ線撮影条件の設定は、一般に、キー入力によって行われる。このため、ユーザは、キーを連打したり、キーリピート機能を有するキー入力装置の場合にあっては、連続時間キーを押下したりすることで、設定の変更を行うこととなる。ここで、キーリピート機能とは、キーを押下し続けた場合に、押下した時間に比例した回数（＝押下時間／キーリピート間隔）だけキーが連打されたと認識する機能である。
【０００５】
このとき、キー入力により変更されたＸ線撮影条件の設定内容を反映した全ての撮影データをモニタ上で確認できるようにするためには、ユーザによりキーが押下されてから次に押下されるまでの間に、少なくとも１回以上の撮影が行われている必要がある。つまり、キー入力の間隔よりも、撮影フレームの間隔の方が短くなっている必要がある。
【０００６】
例えば、撮影データをモニタ上で確認しながら管電流の設定を変更する場合について図１６、図１７Ａ、図１７Ｂを用いて説明する。図１６、図１７Ａ、図１７Ｂは、横軸を時間軸とし、キー入力がなされたタイミング及び撮影が行われたタイミングをそれぞれ示した図である。
【０００７】
図１６に示すように、管電流の設定が４９ｍＡの状態で撮影された撮影データをモニタ上で確認しながら管電流の増加キーをゆっくりと連打したとする。この場合、管電流の設定は、５０、５１、５２、・・・と徐々に増加していくこととなるため（１６０１〜１６０４）、ユーザは、それぞれの設定内容が反映された撮影データをモニタ上で確認することができる。
【０００８】
図１６において、１６１１は、管電流の設定が５０ｍＡの状態で撮影が行われたことを示しており、１６１２は、管電流の設定が５１ｍＡの状態で撮影が行われたことを示している。また、１６１３、１６１４は、それぞれ管電流の設定が５２ｍＡ、５３ｍＡの状態で撮影が行われたことを示している。
【０００９】
このため、ユーザは、モニタ上に表示された撮影データが所望の状態になったことを確認した時点で、増加キーの連打を停止すれば、最適なＸ線撮影条件を設定することができることとなる。
【００１０】
これに対して、図１７Ａに示すように、増加キーを激しく連打した場合や、図１７Ｂに示すようにキーリピート機能を用いて、連続時間、キーを押下した場合においては、管電流の設定が、５０、５１、５２、５３、・・・と急速に増加していくこととなる。
【００１１】
この場合、連打された増加キーのキー入力の間隔やキーリピート間隔が撮影フレーム間隔（１６１０、１７１０）よりも短いと、ユーザは、それぞれの設定内容が反映された撮影データをモニタ上で確認することができない。
【００１２】
例えば、管電流の設定が５０ｍＡと５３ｍＡ（１６０１、１６０４、１７０１、１７０４）の状態で撮影された撮影データについてはモニタ上で確認できる。しかし、管電流の設定が５１ｍＡ、５２ｍＡの状態（１６０２、１６０３、１７０２、１７０３）については、確認することができない。
【００１３】
図１７Ａ、図１７Ｂにおいて、１６１１、１７１１は、管電流の設定が５０ｍＡの状態で撮影が行われたことを示しており、１６１２、１７１２は、管電流の設定が５３ｍＡの状態で撮影が行われたことを示している。つまり、管電流の設定が５１ｍＡ及び５２ｍＡの状態では、撮影が行われていないこととなる。
【００１４】
換言すると、管電流の設定が５２ｍＡとなっているにも関わらず、モニタ上に表示されている撮影データは、管電流の設定が５０ｍＡの状態で撮影された撮影データのままとなっていることとなる。この場合、行き過ぎた設定内容により撮影が行われたこととなるうえ、Ｘ線撮影条件として誤った設定値が設定される可能性もある。このような状態を回避するためには、撮影フレームの間隔を、状況に応じて適切に制御することが有効である。
【００１５】
一方、従来より、Ｘ線撮影装置においては、状況に応じて撮影フレームの間隔を適切に制御する方法が提案されている。
【００１６】
例えば、特許文献１では、被写体の移動速度に応じて撮影フレームの間隔を制御する方法が提案されている。当該特許文献によれば、通常は表示困難な高速に移動する被写体について、高いフレームレートで撮影することで、モニタ上に表示することが可能となる。
【特許文献１】特開２００１−３５８９８４号公報
【発明の開示】
【発明が解決しようとする課題】
【００１７】
しかしながら、上記特許文献１の場合、あくまで被写体の移動速度に応じて撮影フレームの間隔を制御することが開示されているのみである。つまり、Ｘ線撮影条件の設定変更を行う際の、キー入力の間隔（あるいはキーリピート間隔）との関係に基づいて制御することまでは開示されていない。このため、Ｘ線撮影条件の設定ミスを回避することは望めない。
【００１８】
本発明は、上記課題に鑑みてなされたものであり、撮影データをモニタ上で確認しながらＸ線撮影条件の設定をキー入力により変更可能なＸ線撮影装置において、設定ミスの発生を回避できるようにすることを目的とする。
【課題を解決するための手段】
【００１９】
上記の目的を達成するために本発明に係るＸ線撮影装置は以下のような構成を備える。即ち、
Ｘ線撮影条件に基づいて被写体をＸ線撮影するＸ線撮影装置であって、
前記Ｘ線撮影条件の設定変更の指示を、キー入力により受け付けるキー入力手段と、
前記キー入力手段により複数回のキー入力を受け付けた場合の、キー入力の間隔を検出する検出手段と、
前記Ｘ線撮影を連続して行う場合の撮影間隔であって、前記Ｘ線撮影条件として設定された撮影間隔が、前記キー入力の間隔よりも長い場合に、該Ｘ線撮影条件として設定された撮影間隔が、該キー入力の間隔以下となるように制御する制御手段とを備える。
【発明の効果】
【００２０】
本発明によれば、撮影データをモニタ上で確認しながらＸ線撮影条件の設定をキー入力により変更可能なＸ線撮影装置において、設定ミスの発生を回避できるようになる。
【発明を実施するための最良の形態】
【００２１】
以下、図面を参照しながら、本発明の好適な実施の形態について説明する。
【００２２】
［第１の実施形態］
＜Ｘ線撮影装置の構成＞
図１は、本発明の第１の実施形態に係るＸ線撮影装置の機能構成を示す図である。図１に示すように、本実施形態に係るＸ線撮影装置は、制御部１０１、Ｘ線撮影部１０２、Ｘ線照射部１０３、Ｘ線撮影条件設定部１０４、画像処理部１０９、メモリ部１１０、キー入力部１１１、表示部１１４を備える。
【００２３】
制御部１０１は、Ｘ線撮影部１０２、Ｘ線照射部１０３、Ｘ線撮影条件設定部１０４、画像処理部１０９、キー入力部１１１及び表示部１１４と接続されており、各部を制御する。
【００２４】
Ｘ線撮影部１０２は、制御部１０１、Ｘ線照射部１０３、Ｘ線撮影条件設定部１０４、画像処理部１０９及びメモリ部１１０と接続されており、制御部１０１による制御のもとで、Ｘ線照射部１０３と連動しながら、患者等の被写体のＸ線撮影を行う。
【００２５】
このため、Ｘ線撮影部１０２には、被写体を透過したＸ線を受けるＸ線センサパネルが配されている。そして、当該Ｘ線センサパネルは、Ｘ線照射部１０３より照射されたＸ線を受けると、デジタルデータとしての撮影データを生成する。Ｘ線撮影部１０２では、当該生成された撮影データを画像処理部１０９及びメモリ部１１０に送信する。
【００２６】
Ｘ線照射部１０３は、制御部１０１、Ｘ線照射部１０３、画像処理部１０９及びメモリ部１１０と接続されている。Ｘ線照射部１０３は、Ｘ線を発生するＸ線発生装置を備え、制御部１０１による制御のもと、Ｘ線撮影条件設定部１０４で設定されたＸ線照射条件に従って、被写体に対してＸ線を照射する。
【００２７】
Ｘ線撮影条件設定部１０４は、制御部１０１、Ｘ線撮影部１０２、Ｘ線照射部１０３及びメモリ部１１０と接続されている。Ｘ線撮影条件設定部１０４は、撮影フレーム間隔設定部１０５、Ｘ線照射量設定部１０６、Ｘ線照射位置設定部１０７及びＸ線照射範囲設定部１０８を備える。ただし、Ｘ線撮影条件設定部１０４が備える設定部はこれらの組み合わせに限定されず、Ｘ線撮影装置の機能によっては、例えば、Ｘ線照射位置設定部１０７やＸ線照射範囲設定部１０８が含まれていなくてもよい。
【００２８】
Ｘ線撮影条件設定部１０４は、制御部１０１による制御のもと、メモリ部１１０に記録されているＸ線撮影条件としての撮影フレーム間隔設定値、Ｘ線照射量設定値、Ｘ線照射位置設定値及びＸ線照射範囲設定値をそれぞれ管理する。また、Ｘ線撮影部１０２及びＸ線照射部１０３に対して各Ｘ線撮影条件の設定内容を伝達する。なお、本実施形態では、各Ｘ線撮影条件はメモリ部１１０に記録されているものとするが、本発明はこれに限定されず、Ｘ線撮影条件設定部１０４が備える内部メモリに記録されていてもよい。
【００２９】
撮影フレーム間隔設定部１０５は、Ｘ線照射部１０３で照射するＸ線の撮影フレーム間隔（撮影間隔）設定値を管理する。
【００３０】
Ｘ線照射量設定部１０６は、Ｘ線照射部１０３で照射するＸ線の線量設定値を管理する。Ｘ線照射量設定値には、Ｘ線発生装置の管電流や管電圧の値が含まれる。
【００３１】
Ｘ線照射位置設定部１０７は、Ｘ線照射部１０３でＸ線を照射する際のＸ線照射位置設定値と、Ｘ線撮影部１０２で撮影する際のＸ線センサパネルの位置設定値とを管理する。なお、本実施形態に係るＸ線撮影装置は、ＣアームなどのようにＸ線発生装置とＸ線センサパネルとがセットで移動するよう構成されているものとする。ただし、本発明はこれに限定されず、Ｘ線発生装置とＸ線センサパネルが別々に移動するよう構成されていてもよいし、Ｘ線発生装置の角度のみが変動するよう構成されていてもよい。
【００３２】
Ｘ線照射範囲設定部１０８は、Ｘ線照射部１０３で照射するＸ線の照射範囲を管理する。なお、本実施形態に係るＸ線撮影装置は、コリメータによりＸ線照射範囲を調整するよう構成されているものとする。
【００３３】
画像処理部１０９は、制御部１０１、Ｘ線撮影部１０２、Ｘ線照射部１０３及びメモリ部１１０と接続されている。画像処理部１０９は、制御部１０１による制御のもと、Ｘ線撮影部１０２で生成された撮影データに対して、Ｘ線センサパネルの特性に応じた補正処理を行うとともに、モニタに表示するための高画質化処理、及びデータ量を削減するための符号化処理などを行う。また、画像処理部１０９は、メモリ部１１０に記録されている撮影データを読み出し、画像処理を行い、画像処理後の撮影データをメモリ部１１０に記録することも可能である。
【００３４】
メモリ部１１０は、制御部１０１、Ｘ線撮影部１０２、Ｘ線照射部１０３、Ｘ線撮影条件設定部１０４、画像処理部１０９、キー入力部１１１及び表示部１１４と接続されている。メモリ部１１０は、制御部１０１による制御のもとで、Ｘ線撮影部１０２で生成された撮影データ及び画像処理部１０９で画像処理された撮影データを記録する。また、Ｘ線撮影条件設定部１０４で管理する各Ｘ線撮影条件及びキー入力部１１１で管理するキーリピート間隔の設定値を記録する。
【００３５】
キー入力部１１１は、キー入力間隔検出部１１２及びキーリピート設定部１１３を備え、制御部１０１及びメモリ部１１０に接続されている。本実施形態では、キー入力部１１１として、キーボード形式の入力手段やモニタ上でのタッチパネル形式の入力手段を想定している。なお、Ｘ線撮影条件は、キー入力部１１１を介して入力されるものとする。
【００３６】
キー入力部１１１では、入力されたキー入力の内容を制御部１０１に伝達する。また、制御部１０１による制御のもとで、入力されたキー入力の内容をメモリ部１１０に記録する。
【００３７】
キー入力間隔検出部１１２は、キー入力部１１１のキーの入力間隔を検出し、キー入力部１１１のキーが押し続けられているか否かを判断する。
【００３８】
キーリピート設定部１１３は、メモリ部１１０に記録されているキーリピート間隔の設定値を管理する。また、キー入力間隔検出部１１２にて、キーが押し続けられていると判断された場合には、キーリピート間隔によりキーが連打されていると認識する。
表示部１１４は、制御部１０１及びメモリ部１１０と接続されている。本実施形態では、表示部１１４としてモニタなどのディスプレイ機器を想定している。表示部１１４は、制御部１０１による制御のもとで、メモリ部１１０に記録されている撮影データを読み出し、表示する。また、メモリ部１１０に記録されているＸ線撮影条件及びキーリピート間隔の設定値を読み出し、表示する。
【００３９】
＜Ｘ線撮影装置におけるＸ線撮影処理＞
次に、本実施形態に係るＸ線撮影装置におけるＸ線撮影処理の流れについて図２を用いて説明する。
【００４０】
図２は、本実施形態に係るＸ線撮影装置におけるＸ線撮影処理の流れを示すフローチャートである。
【００４１】
キー入力部１１１を介してＸ線撮影処理の開始指示を受け付けると、ステップＳ２０１では、制御部１０１が、Ｘ線照射部１０３及びＸ線撮影部１０２に対してＸ線撮影条件に応じたＸ線照射・撮影を開始するよう指示する。
【００４２】
Ｘ線照射・撮影が開始されると、制御部１０１では、Ｘ線撮影部１０２で生成された撮影データをメモリ部１１０に記録するよう制御する。また、メモリ部１１０に記録されている撮影データを画像処理部１０９に送信し、Ｘ線センサパネルの特性に基づく補正処理や高画質化処理、あるいは符号化処理を行い、再びメモリ部１１０に記録するよう制御する。更に、画像処理部１０９で画像処理されメモリ部１１０に記録されている撮影データを読み出して、表示部１１４に表示するよう制御する。
【００４３】
ステップＳ２０２では、制御部１０１が、キー入力部１１１のキー入力間隔検出部１１２に対して、キーの入力間隔の検出を開始するよう指示する。
【００４４】
なお、本実施形態では、Ｘ線照射・撮影が開始されてからキー入力間隔検出部１１２によるキー入力間隔の検出を開始させることとしているが、本発明はこれに限定されない。例えば、Ｘ線照射・撮影が開始される前からキー入力間隔の検出を開始させるように構成してもよい。
【００４５】
ステップＳ２０３では、キー入力間隔検出部１１２が、検出したキー入力間隔に基づいて、キー入力部１１１のキーが押し続けられているか否かを判断する。
【００４６】
キー入力間隔検出部１１２が、キー入力部１１１のキーが押し続けられていないと判断した場合には、ステップＳ２１０に進む。ステップＳ２１０では、制御部１０１がキー入力された内容に従って、複数回（キー入力された回数分）、Ｘ線撮影条件の設定を変更した後、ステップＳ２０８に進む。
【００４７】
一方、キー入力間隔検出部１１２が、キー入力部１１１のキーが押し続けられていると判断した場合には、ステップＳ２０４に進む。
【００４８】
ステップＳ２０４では、キーリピート設定部１１３が、キー入力が押し続けられた連続時間とキーリピート間隔とに基づいて、キーが押下された回数を算出する。更に制御部１０１が、キー入力された内容に従って、複数回（算出された回数分）、Ｘ線撮影条件の設定を変更する。
【００４９】
ステップＳ２０５では、制御部１０１が、メモリ部１１０に記録され撮影フレーム間隔設定部１０５により管理されている撮影フレーム間隔設定値とキーリピート設定部１１３により管理されているキーリピート間隔設定値とを比較する。
【００５０】
ステップＳ２０６において、撮影フレーム間隔よりキーリピート間隔の方が短いと判断した場合には、ステップＳ２０７に進む。一方、撮影フレーム間隔よりキーリピート間隔の方が長いまたは同じであると判断した場合には、ステップＳ２０８に進む。
【００５１】
ステップＳ２０７では、制御部１０１が、撮影フレーム間隔の方がキーリピート間隔よりも短くなるように制御する。具体的には、撮影フレーム間隔設定部１０５により管理されている撮影フレーム間隔設定値がキーリピート設定部１１３により管理されているキーリピート間隔設定値よりも小さくなるように設定値を変更する。
【００５２】
なお、本実施形態にかかるＸ線撮影装置は、撮影フレーム間隔の方がキーリピート間隔よりも短くなるように制御するための制御方法として、以下の２通りの制御方法を備える。
【００５３】
第１の制御方法は、図３に示すように、撮影フレーム間隔３１０に合わせてキーリピート間隔３００を制御する方法である。
【００５４】
なお、図３では、撮影フレーム間隔３１０と同じ間隔となるようにキーリピート間隔３００を制御した例を示している。ただし、撮影フレーム間隔３１０とキーリピート間隔３００は同じである必要はなく、撮影フレーム間隔３１０よりもキーリピート間隔３００の方が長くなるように、キーリピート間隔３００を制御してもよい。
【００５５】
第２の制御方法は、図４に示すように、キーリピート間隔４００に合わせて撮影フレーム間隔４１０を制御する方法である。
【００５６】
なお、図４では、キーリピート間隔４００と同じ間隔になるように撮影フレーム間隔４１０を制御した例を示している。ただし、撮影フレーム間隔４１０とキーリピート間隔４００は同じである必要はなく、キーリピート間隔４００よりも撮影フレーム間隔４１０の方が短くなるように、撮影フレーム間隔４１０を制御してもよい。
【００５７】
図２に戻る。ステップＳ２０８では、キー入力部１１１を介してＸ線撮影処理を停止する旨の指示が入力されたか否かを判断する。キー入力部１１１を介してＸ線撮影処理を停止する旨の指示が入力されたと判断した場合には、ステップＳ２０９に進む。
【００５８】
一方、キー入力部１１１を介してＸ線撮影処理を停止する旨の指示が入力されなかったと判断した場合には、ステップＳ２０３に戻る。
【００５９】
ステップＳ２０９では、制御部１０１が、Ｘ線照射部１０３及びＸ線撮影部１０２に対してＸ線照射・撮影を停止するよう指示する。これにより、Ｘ線撮影処理が終了する。
【００６０】
＜実施例＞
次に、本実施形態に係るＸ線撮影装置におけるＸ線撮影処理の実施例について図５を用いて説明する。図５は、Ｘ線撮影中に、Ｘ線撮影条件として、Ｘ線照射範囲を変更した場合のモニタの表示例を示す図である。
【００６１】
５００はＸ線照射範囲を変更するためのキーが押される前の状態で撮影された撮影データが表示された様子を示している。
【００６２】
５１０はＸ線照射範囲を小さくするためのキーが押し続けられている状態で撮影された撮影データが表示された様子を示している。５１０の例では、Ｘ線照射範囲を小さくするためのキーが押し続けられていると判断され、撮影フレーム間隔と同じになるようにキーリピート間隔が制御された場合を示している。
【００６３】
この場合、撮影フレーム間隔ごとにＸ線照射範囲が小さくなっていく。この結果、表示される撮影データの大きさも撮影フレーム間隔ごとに小さくなっていく（点線５１１は、直前の撮影フレームを、実線５１２は、現在の撮影フレームを示している）。
【００６４】
以上の説明から明らかなように、本実施形態では、Ｘ線照射開始後に、キーリピート機能を用いたキー入力によりＸ線撮影条件が変更された場合に、撮影フレーム間隔とキーリピート間隔とを比較する構成とした。
【００６５】
そして、比較の結果、キーリピート間隔の方が撮影フレーム間隔よりも短いと判断された場合には、撮影フレーム間隔の方がキーリピート間隔よりも短くなるように制御する構成とした。
【００６６】
これにより、ユーザは、キーリピート機能を用いて設定されたそれぞれの設定内容が反映された撮影データを確認することなく、Ｘ線撮影条件が変更され、行き過ぎた設定内容により撮影が行われてしまうといった事態を回避することが可能となった。この結果、Ｘ線撮影条件の設定ミスをなくすことが可能となった。
【００６７】
［第２の実施形態］
上記第１の実施形態では、撮影フレーム間隔の方がキーリピート間隔よりも短くなるように制御するために、撮影フレーム間隔を制御する構成とキーリピート間隔を制御する構成の両方を配し、いずれか一方のみを使用することとした。
【００６８】
しかしながら、本発明はこれに限定されず、Ｘ線照射部位に応じて両者を切り替えて使用するように構成してもよい。以下、本実施形態の詳細について説明する。
【００６９】
＜Ｘ線撮影装置の構成＞
図６は、本発明の第２の実施形態に係るＸ線撮影装置の機能構成を示す図である。第１の実施形態に係るＸ線撮影装置との主な違いは、Ｘ線照射部位設定部６０１が追加されている点である。また、メモリ部１１０にテーブル６０２が記録されている点である。
【００７０】
Ｘ線照射部位設定部６０１では、Ｘ線照射部１０３が被写体のどの部位にＸ線を照射しているかを判定し、制御部１０１に伝達する。
【００７１】
なお、Ｘ線照射部１０３が被写体のどの部位にＸ線を照射しているかを判定する方法としては、例えば、Ｘ線照射部１０３に撮影手段を設け、撮影画像を認識することで自動的に判定する方法が挙げられる。あるいは、Ｘ線撮影処理の開始を指示する際に、キー入力部１１１を介して設定された、どの部位にＸ線を照射するかを示すＸ線照射部位データを、メモリ部１１０に記録しておき、当該Ｘ線照射部位データに基づいて判定する方法が挙げられる。
【００７２】
制御部１０１では、Ｘ線照射部位設定部６０１より伝達されたＸ線照射部位データに基づいて、撮影フレーム間隔を制御するモードと、キーリピート間隔を制御するモードとを切り替える。なお、切り替えに際しては、Ｘ線照射部位と制御モードとの関係を示すテーブル６０２を参照する。
【００７３】
図７は、Ｘ線照射部位と制御モードとの関係を示すテーブル６０２の一例を示す図である。テーブル６０２は、キー入力部１１１を介して予め入力され、メモリ部１１０に記録されているものとする。
【００７４】
図７において、７０１はＸ線照射部位であり、Ｘ線照射部１０３により照射される被写体の部位が記録されている。７０２は制御モードであり、撮影フレーム間隔を優先し、キーリピート間隔を制御する撮影フレーム間隔優先モードと、キーリピート間隔を優先し、撮影フレーム間隔を制御するキーリピート間隔優先モードのいずれかが記録されている。
【００７５】
図７の場合、頭部、胸部及び腹部のようにＸ線の照射が与える影響が大きい部位については撮影フレームを優先する撮影フレーム間隔優先モードが選択されるように制御モードが記録されている。また、手部及び足部のようにＸ線の照射が与える影響が比較的少ない部位については、キーリピート間隔を優先するキーリピート優先モードが選択されるように制御モードが記録されている。ただし、図７は一例であり、この組み合わせに限定されるものではない。
【００７６】
＜Ｘ線撮影装置におけるＸ線撮影処理＞
次に、本実施形態に係るＸ線撮影装置におけるＸ線撮影処理の流れについて説明する。図８は、本実施形態に係るＸ線撮影装置におけるＸ線撮影処理の流れを示すフローチャートである。
【００７７】
図８において、ステップＳ２０１〜Ｓ２０６、Ｓ２０８〜Ｓ２１０の処理は、図２におけるステップＳ２０１〜Ｓ２０６、Ｓ２０８〜Ｓ２１０の処理と同様であるため、説明は省略する。
【００７８】
ステップＳ８０１では、制御部１０１が、Ｘ線照射部位設定部６０１から伝達されたＸ線照射部位データとテーブル６０２とに基づいて、撮影フレーム間隔優先モードまたはキーリピート間隔優先モードのいずれかを選択する。
【００７９】
ステップＳ８０１において、キーリピート間隔優先モードを選択した場合には、ステップＳ８０２に進み、撮影フレーム間隔の方がキーリピート間隔よりも短くなるように、撮影フレーム間隔を制御する。
【００８０】
一方、ステップＳ８０１において、撮影フレーム間隔優先モードを選択した場合には、ステップＳ８０３に進み、撮影フレーム間隔の方がキーリピート間隔よりも短くなるように、キーリピート間隔を制御する。
【００８１】
以上の説明から明らかなように、本実施形態では、撮影フレーム間隔の方がキーリピート間隔よりも短くなるように制御するにあたり、Ｘ線照射部位に応じて、撮影フレーム間隔またはキーリピート間隔のいずれを制御するかを切り替える構成とした。
【００８２】
この結果、上記第１の実施形態における効果を享受しつつ、更に、被写体に対するＸ線照射の影響を最小限に抑えることが可能となった。
【００８３】
［第３の実施形態］
上記第１及び第２の実施形態では、キーリピート機能を用いてキー入力した場合の処理について説明した。しかしながら、本発明はこれに限定されず、キーが連打された場合にも、同様の制御を行うように構成してもよい。以下、本実施形態の詳細を説明する。
【００８４】
＜Ｘ線撮影装置の構成＞
図９は、本発明の第３の実施形態に係るＸ線撮影装置の機能構成を示す図である。第１の実施形態に係るＸ線撮影装置との主な違いは、キー入力部９１１において、キーリピート設定部１１３が除かれている点である。
【００８５】
＜Ｘ線撮影装置におけるＸ線撮影処理＞
次に、本実施形態に係るＸ線撮影装置におけるＸ線撮影処理の流れについて図１０を用いて説明する。図１０は、本実施形態に係るＸ線撮影装置におけるＸ線撮影処理の流れを示すフローチャートである。
【００８６】
図１０において、ステップＳ２０１、Ｓ２０２、Ｓ２０４、Ｓ２０８及びＳ２０９は、図２のステップＳ２０１、Ｓ２０２、Ｓ２０４、Ｓ２０８及びＳ２０９の処理と同様であるため、説明は省略する。
【００８７】
ステップＳ１００１では、制御部１０１が、メモリ部１１０に記録されている撮影フレーム間隔と、キー入力間隔検出部１１２で検出したキー入力間隔とを比較する。
【００８８】
ステップＳ１００１における比較の結果、撮影フレーム間隔よりキー入力間隔の方が短いと判断した場合には（ステップＳ１００２においてＹＥＳ）、ステップＳ１００３に進む。
【００８９】
ステップＳ１００３では、制御部１０１が、撮影フレーム間隔の方がステップＳ２０２で検出されたキー入力間隔よりも短くなるように、撮影フレーム間隔を制御する。
【００９０】
一方、ステップＳ１００１における比較の結果、撮影フレーム間隔よりキー入力間隔の方が長いまたは同じであると判断した場合には（ステップＳ１００２においてＮＯ）、ステップＳ２０８に進む。
【００９１】
なお、ステップＳ１００３における撮影フレーム間隔の制御方法は、以下の通りである。
【００９２】
すなわち、図１１に示すように、ステップＳ１００２でキー入力間隔の方が撮影フレーム間隔より短いと判断された場合には、当該キー入力１１０２の直後から、撮影フレーム間隔をキー入力間隔１１００以下となるように制御する（１１１０→１１２０）。
【００９３】
なお、撮影フレーム間隔がキー入力間隔１１００以下となるように制御する期間は、キー入力部１１１を介してメモリ部１１０に予め記録されているものとする。
【００９４】
また、撮影フレーム間隔がキー入力間隔１１００以下となるように制御している期間中に、さらに短いキー入力間隔が検出された場合には、撮影フレーム間隔を当該更に短いキー入力間隔以下となるように制御するものとする。
以上の説明から明らかなように、本実施形態では、キーリピート機能を用いずにキー入力された場合においても、キー入力間隔を検出する構成とした。そして、検出されたキー入力間隔が撮影フレーム間隔より短い場合には、撮影フレーム間隔がキー入力間隔よりも短くなるように、撮影フレームを制御する構成とした。
【００９５】
これにより、ユーザは、キーが連打して入力された場合であっても、設定内容が反映された撮影データを確認することなく、Ｘ線撮影条件が変更され、行き過ぎた設定内容により撮影が行われてしまうといった事態を回避することが可能となった。
【００９６】
この結果、キー連打した場合でも、Ｘ線撮影条件の設定ミスをなくすことが可能となった。
【００９７】
［第４の実施形態］
上記第３の実施形態では、キー入力間隔を検出し、当該検出されたキー入力間隔に応じて、撮影フレーム間隔を制御する構成とした。しかしながら、当該構成の場合、図１１に示すように、キー入力間隔を検出するための１回目のキー入力（１１０１）による設定内容が反映された撮影データについてはモニタ上で確認することができない。
【００９８】
そこで、本実施形態では、キー入力が検出されるたびに、撮影を行うように撮影のタイミングを制御することとする。以下、本実施形態の詳細について説明する。
【００９９】
＜Ｘ線撮影装置の機能構成＞
図１２は、本発明の第４の実施形態に係るＸ線撮影装置の機能構成を示す図である。上記第３の実施形態に係るＸ線撮影装置との主な違いは、キー入力部１２１１においてキー入力間隔検出部１１２が除かれた構成となっている点である。
【０１００】
＜Ｘ線撮影装置におけるＸ線撮影処理＞
次に、本実施形態に係るＸ線撮影装置におけるＸ線撮影処理の流れについて説明する。図１３は、本実施形態に係るＸ線撮影装置におけるＸ線撮影処理の流れを示すフローチャートである。
【０１０１】
図１３において、ステップＳ２０１、Ｓ２０４、Ｓ２０８及びＳ２０９は図２のステップＳ２０１、Ｓ２０４、Ｓ２０８及びＳ２０９の処理と同様であるため、説明は省略する。
【０１０２】
ステップＳ１３０１では、制御部１０１が、キー入力部１１１においてキーの入力を検出する。
【０１０３】
ステップＳ１３０２では、制御部１０１が、撮影フレーム間隔を制御する。なお、本実施形態にかかるＸ線撮影装置は、ステップＳ１３０２における撮影フレーム間隔の制御方法として、以下の２つの制御方法を備える。
【０１０４】
第１の制御方法は、図１４に示すように、制御部１０１が、撮影フレーム間隔に基づく撮影（１４１１〜１４１７）に加えて、キー入力を検出した場合にあっては（１４０１〜１４０５）、更に検出直後に撮影を行う（１４２１〜１４２３）方法である。
【０１０５】
ただし、当該制御方法では、撮影フレームを追加しようとした場合に、予め撮影フレーム間隔に基づく撮影による撮影フレームが存在していた場合には、当該新たな撮影フレームの追加は行わない（１４１３、１４１６）。
【０１０６】
第２の制御方法は、図１５に示すように、キーの入力を検出した場合には撮影フレーム間隔に基づく撮影は行わず、検出直後に撮影を行い（１５２１〜１５２５）、キー入力を検出しなかった場合に撮影フレーム間隔に基づく撮影を行う方法である。
【０１０７】
以上の説明から明らかなように、本実施形態では、キー入力が検出された場合には、その直後に撮影処理を行うよう制御する構成とした。
【０１０８】
これにより、上記第３の実施形態と同様の効果を享受しつつ、更に、キーを連打した際の１回目のキー入力の内容が反映された撮影データをモニタ上に表示させることが可能となる。
【０１０９】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１１０】
また、本発明の目的は、前述した実施形態の機能を実現するソフトウェアのプログラムコードを記録したコンピュータ読取可能な記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１１１】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１１２】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１１３】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１１４】
【図１】本発明の第１の実施形態に係るＸ線撮影装置の機能構成を示す図である。
【図２】Ｘ線撮影装置におけるＸ線撮影処理の流れを示すフローチャートである。
【図３】撮影フレーム間隔に合わせてキーリピート間隔を制御する方法を示す図である。
【図４】キーリピート間隔に合わせて撮影フレーム間隔を制御する方法を示す図である。
【図５】Ｘ線撮影中に、Ｘ線撮影条件として、Ｘ線照射範囲を変更した場合のモニタの表示例を示す図である。
【図６】本発明の第２の実施形態に係るＸ線撮影装置の機能構成を示す図である。
【図７】Ｘ線照射部位と制御モードとの関係を示すテーブルの一例を示す図である。
【図８】Ｘ線撮影装置におけるＸ線撮影処理の流れを示すフローチャートである。
【図９】本発明の第３の実施形態に係るＸ線撮影装置の機能構成を示す図である。
【図１０】Ｘ線撮影装置におけるＸ線撮影処理の流れを示すフローチャートである。
【図１１】撮影フレーム間隔の制御方法を説明するための図である。
【図１２】本発明の第４の実施形態に係るＸ線撮影装置の機能構成を示す図である。
【図１３】Ｘ線撮影装置におけるＸ線撮影処理の流れを示すフローチャートである。
【図１４】撮影フレーム間隔の制御方法を説明するための図である。
【図１５】撮影フレーム間隔の制御方法を説明するための図である。
【図１６】横軸を時間軸とし、キー入力がなされたタイミング及び撮影が行われたタイミングをそれぞれ示した図である。
【図１７Ａ】横軸を時間軸とし、キー入力がなされたタイミング及び撮影が行われたタイミングをそれぞれ示した図である。
【図１７Ｂ】横軸を時間軸とし、キー入力がなされたタイミング及び撮影が行われたタイミングをそれぞれ示した図である。
【図１】
2010104597.tif 000003
【図２】
2010104597.tif 000004
【図３】
2010104597.tif 000005
【図４】
2010104597.tif 000006
【図５】
2010104597.tif 000007
【図６】
2010104597.tif 000008
【図７】
2010104597.tif 000009
【図８】
2010104597.tif 000010
【図９】
2010104597.tif 000011
【図１０】
2010104597.tif 000012
【図１１】
2010104597.tif 000013
【図１２】
2010104597.tif 000014
【図１３】
2010104597.tif 000015
【図１４】
2010104597.tif 000016
【図１５】
2010104597.tif 000017
【図１６】
2010104597.tif 000018
【図１７Ａ】
2010104597.tif 000019
【図１７Ｂ】
2010104597.tif 000020